(57)【要約】【課題】躯体と扉との間に第１及び第２ブラケットを介して回転ダンパを取り付けるようにした回転ダンパ装置において、第１及び第２ブラケットを躯体と扉とのいずれに取り付けた場合であっても回転ダンパを躯体及び扉に第１及び第２ブラケットを介して取り付けることができるようにする。【解決手段】第１、第２ブラケット１，２に同一の係合孔１２ｂを形成する。回転ダンパ３のダンパ本体３１には、第１係合部３１ｃを形成する。ダンパ３のロータ３２の先端部をアダプタ４に回転不能に挿入する。アダプタ４の外周には、第３係合部４６を形成する。第１係合部３１ｃを第１ブラケット１の係合孔１２ｂに回転不能に挿入する。第３係合部４６を第２ブラケット２の係合孔１２ｂに回転不能に挿入する。【選択図】図５
2011236702.tif 000002
【特許請求の範囲】
【請求項１】
ダンパ本体及びこのダンパ本体に対して回転可能なロータを有し、上記ダンパ本体には第１ブラケットに設けられた第１係合孔に回転不能に挿入される第１係合部が形成され、上記ロータには上記第１係合部より小さい外形寸法を有し、第２ブラケットの第２係合孔に回転不能に挿入される第２係合部が形成された回転ダンパ、に用いられる取付治具であって、
上記第２係合部が回転不能に挿入される筒状のアダプタを有し、このアダプタに第３係合部が形成され、上記第１係合部が上記第１係合孔及び上記第２係合孔に回転不能に挿入可能とされ、上記第３係合部が上記第１係合孔及び上記第２係合孔に回転不能に挿入可能とされ、上記第２係合部が上記第２係合孔に上記第３係合部を介して回転不能に挿入されていることを特徴とする回転ダンパ用取付治具。
【請求項２】
上記ダンパ本体が有底筒状をなし、上記ダンパ本体の底部側の基端部に上記第１係合部が形成され、上記ロータの基端部が上記ダンパ本体に回転可能に挿入され、上記ダンパ本体から外部に突出した上記ロータの先端部に上記第２係合部が形成されていることを特徴とする請求項１に記載の回転ダンパ用取付治具。
【請求項３】
上記アダプタの上記ダンパ本体側に位置する先端部には、上記ダンパ本体の先端部が回転可能に嵌め込まれる嵌合筒部が一体に設けられていることを特徴とする請求項２に記載の回転ダンパ用取付治具。
【請求項４】
上記嵌合筒部の外周面の軸線方向における中間部には、周方向に沿って環状に延びる環状突出部が形成されていることを特徴とする請求項３に記載の回転ダンパ用取付治具。
【請求項５】
上記第１ブラケットには、上記嵌合筒部の先端部が回転可能に嵌め込まれる第１支持孔が形成されるとともに、この第１支持孔の底部に上記第１係合孔が形成され、上記第２ブラケットには、上記嵌合筒部の基端部が回転可能に嵌め込まれる第２支持孔が形成されるとともに、この第２支持孔の底部に上記第２係合孔が形成されていることを特徴とする請求項３又は４に記載の回転ダンパ用取付治具。
【請求項６】
上記第１係合部と上記第３係合部とが互いに同一の断面形状を有しており、上記第１係合孔と上記第２係合孔とが互いに同一の断面形状を有していることを特徴とする請求項１〜５のいずれかに記載の回転ダンパ用取付治具。
【請求項７】
上記第１係合部と上記第３係合部とが互いに同一の断面形状を有しており、上記第１係合孔と上記第２係合孔とが互いに異なる断面形状を有していることを特徴とする請求項１〜５のいずれかに記載の回転ダンパ用取付治具。
【請求項８】
上記第１係合部と上記第３係合部とが互いに異なる断面形状を有しており、上記第１係合孔と上記第２係合孔とが互いに同一の断面形状を有していることを特徴とする請求項１〜５のいずれかに記載の回転ダンパ用取付治具。
【請求項９】
ダンパ本体及びこのダンパ本体に対して回転可能なロータを有し、上記ダンパ本体には第１ブラケットに設けられた第１係合孔に回転不能に挿入される第１係合部が形成され、上記ロータには上記第１係合部より小さい外形寸法を有し、第２ブラケットの第２係合孔に回転不能に挿入される第２係合部が形成された回転ダンパにおいて、
上記第２係合部が回転不能に挿入される筒状のアダプタをさらに有し、このアダプタに第３係合部が形成され、上記第１係合部が上記第１係合孔及び上記第２係合孔に回転不能に挿入可能とされ、上記第３係合部が上記第１係合孔及び上記第２係合孔に回転不能に挿入可能とされ、上記第２係合部が上記第２係合孔に上記第３係合部を介して回転不能に挿入されていることを特徴とする回転ダンパ装置。
【請求項１０】
上記ダンパ本体が有底筒状をなし、上記ダンパ本体の底部側の基端部に上記第１係合部が形成され、上記ロータの基端部が上記ダンパ本体に回転可能に挿入され、上記ダンパ本体から外部に突出した上記ロータの先端部に上記第２係合部が形成されていることを特徴とする請求項９に記載の回転ダンパ装置。
【請求項１１】
上記アダプタの上記ダンパ本体側に位置する先端部には、上記ダンパ本体の先端部が回転可能に嵌め込まれる嵌合筒部が一体に設けられていることを特徴とする請求項１０に記載の回転ダンパ装置。
【請求項１２】
上記嵌合筒部の外周面の軸線方向における中間部には、周方向に沿って環状に延びる環状突出部が形成されていることを特徴とする請求項１１に記載の回転ダンパ装置。
【請求項１３】
上記第１ブラケットには、上記嵌合筒部の先端部が回転可能に嵌め込まれる第１支持孔が形成されるとともに、この第１支持孔の底部に上記第１係合孔が形成され、上記第２ブラケットには、上記嵌合筒部の基端部が回転可能に嵌め込まれる第２支持孔が形成されるとともに、この第２支持孔の底部に上記第２係合孔が形成されていることを特徴とする請求項１１又は１２に記載の回転ダンパ装置。
【請求項１４】
上記第１係合部と上記第３係合部とが互いに同一の断面形状を有しており、上記第１係合孔と上記第２係合孔とが互いに同一の断面形状を有していることを特徴とする請求項９〜１３のいずれかに記載の回転ダンパ装置。
【請求項１５】
上記第１係合部と上記第３係合部とが互いに同一の断面形状を有しており、上記第１係合孔と上記第２係合孔とが互いに異なる断面形状を有していることを特徴とする請求項９〜１３のいずれかに記載の回転ダンパ装置。
【請求項１６】
上記第１係合部と上記第３係合部とが互いに異なる断面形状を有しており、上記第１係合孔と上記第２係合孔とが互いに同一の断面形状を有していることを特徴とする請求項９〜１３のいずれかに記載の回転ダンパ装置。
【発明の詳細な説明】
【技術分野】
【０００１】
この発明は、回転ダンパを躯体と扉との間あるいは筐体と扉の間に取り付ける際に用いられる回転ダンパ用取付治具、及びこのような取付治具を備えた回転ダンパ装置に関する。
【背景技術】
【０００２】
従来の回転ダンパの一例が下記特許文献１に記載されている。この回転ダンパは、有底円筒状をなすダンパ本体と、このダンパ本体に基端部が回転可能に挿入されたロータとを有している。ダンパ本体の外周面の基端部、つまり底部側の端部には、互いに平行な二つの平面部を有する第１係合部が形成されている。一方、ダンパ本体から突出したロータの先端部には、互いに平行な二つの平面部を有する第２係合部が形成されている。なお、ダンパ本体とロータとの間には、ロータの一方向への高速回転を阻止して低速に抑え、他方への高速回転を許容するダンパ機構が内蔵されている。
【０００３】
上記構成の回転ダンパを例えば便器本体と弁座との間に取り付ける場合には、便器本体に第１ブラケットを設け、弁座に第２ブラケットを設ける。第１ブラケットは、第１係合孔を有しており、第１係合孔にはダンパ本体の第１係合部が回動不能に挿入される。一方、第２ブラケットは、第２係合孔を有しており、第２係合孔にはロータの第２係合部が回動不能に挿入される。これにより、弁座が便器本体に第１、第２ブラケット及び回転ダンパを介して回転可能に連結され、弁座を回動させると、それに応じてロータがダンパ本体に対して回動する。なお、弁座が閉方向へ回転するときには、便座の回転速度が回転ダンパによって低速に抑えられる。弁座が開方向へ回転するときには、その回転速度が回転ダンパによって低速に抑えられることがなく、便座は高速で回転することができる。
【先行技術文献】
【特許文献】
【０００４】
【特許文献１】特開２０１０−１９８３号公報
【発明の概要】
【発明が解決しようとする課題】
【０００５】
上記従来の回転ダンパにおいては、ダンパ本体の第１係合部とロータの第２係合部とが互いに異なる形状及び寸法をもって形成されている。したがって、第１及び第２ブラケットの第１及び第２係合孔も、互いに異なる形状及び寸法に形成される。このため、第１及び第２ブラケットを便器本体及び便座にそれぞれ取り付けるべきところを誤って便座及び便器本体にそれぞれ取り付けてしまうと、回転ダンパを第１及び第２ブラケットに対して取り付けることができなくなってしまったり、あるいは回転ダンパのダンパ本体及びロータと便器本体及び便座との取付関係が正規の関係と逆になってしまうという問題があった。
【課題を解決するための手段】
【０００６】
上記の問題解決するために、第１の発明は、ダンパ本体及びこのダンパ本体に対して回転可能なロータを有し、上記ダンパ本体には第１ブラケットに設けられた第１係合孔に回転不能に挿入される第１係合部が形成され、上記ロータには上記第１係合部より小さい外形寸法を有し、第２ブラケットの第２係合孔に回転不能に挿入される第２係合部が形成された回転ダンパ、に用いられる取付治具であって、上記第２係合部が回転不能に挿入される筒状のアダプタを有し、このアダプタに第３係合部が形成され、上記第１係合部が上記第１係合孔及び上記第２係合孔に回転不能に挿入可能とされ、上記第３係合部が上記第１係合孔及び上記第２係合孔に回転不能に挿入可能とされ、上記第２係合部が上記第２係合孔に上記第３係合部を介して回転不能に挿入されていることを特徴としている。
この場合、上記ダンパ本体が有底筒状をなし、上記ダンパ本体の底部側の基端部に上記第１係合部が形成され、上記ロータの基端部が上記ダンパ本体に回転可能に挿入され、上記ダンパ本体から外部に突出した上記ロータの先端部に上記第２係合部が形成されていることが望ましい。
上記アダプタの上記ダンパ本体側に位置する先端部には、上記ダンパ本体の先端部が回転可能に嵌め込まれる嵌合筒部が一体に設けられていることが望ましい。
上記嵌合筒部の外周面の軸線方向における中間部には、周方向に沿って環状に延びる環状突出部が形成されていることが望ましい。
上記第１ブラケットには、上記嵌合筒部の先端部が回転可能に嵌め込まれる第１支持孔が形成されるとともに、この第１支持孔の底部に上記第１係合孔が形成され、上記第２ブラケットには、上記嵌合筒部の基端部が回転可能に嵌め込まれる第２支持孔が形成されるとともに、この第２支持孔の底部に上記第２係合孔が形成されていることが望ましい。
上記第１係合部と上記第３係合部とが互いに同一の断面形状を有しており、上記第１係合孔と上記第２係合孔とが互いに同一の断面形状を有していることが望ましい。
上記第１係合部と上記第３係合部とが互いに同一の断面形状を有しており、上記第１係合孔と上記第２係合孔とが互いに異なる断面形状を有していることが望ましい。
上記第１係合部と上記第３係合部とが互いに異なる断面形状を有しており、上記第１係合孔と上記第２係合孔とが互いに同一の断面形状を有していることが望ましい。
上記の問題を解決するために、第２の発明は、ダンパ本体及びこのダンパ本体に対して回転可能なロータを有し、上記ダンパ本体には第１ブラケットに設けられた第１係合孔に回転不能に挿入される第１係合部が形成され、上記ロータには上記第１係合部より小さい外形寸法を有し、第２ブラケットの第２係合孔に回転不能に挿入される第２係合部が形成された回転ダンパにおいて、上記第２係合部が回転不能に挿入される筒状のアダプタをさらに有し、このアダプタに第３係合部が形成され、上記第１係合部が上記第１係合孔及び上記第２係合孔に回転不能に挿入可能とされ、上記第３係合部が上記第１係合孔及び上記第２係合孔に回転不能に挿入可能とされ、上記第２係合部が上記第２係合孔に上記第３係合部を介して回転不能に挿入されていることを特徴としている。
この場合、上記ダンパ本体が有底筒状をなし、上記ダンパ本体の底部側の基端部に上記第１係合部が形成され、上記ロータの基端部が上記ダンパ本体に回転可能に挿入され、上記ダンパ本体から外部に突出した上記ロータの先端部に上記第２係合部が形成されていることが望ましい。
上記アダプタの上記ダンパ本体側に位置する先端部には、上記ダンパ本体の先端部が回転可能に嵌め込まれる嵌合筒部が一体に設けられていることが望ましい。
上記嵌合筒部の外周面の軸線方向における中間部には、周方向に沿って環状に延びる環状突出部が形成されていることが望ましい。
上記第１ブラケットには、上記嵌合筒部の先端部が回転可能に嵌め込まれる第１支持孔が形成されるとともに、この第１支持孔の底部に上記第１係合孔が形成され、上記第２ブラケットには、上記嵌合筒部の基端部が回転可能に嵌め込まれる第２支持孔が形成されるとともに、この第２支持孔の底部に上記第２係合孔が形成されていることが望ましい。
上記第１係合部と上記第３係合部とが互いに同一の断面形状を有しており、上記第１係合孔と上記第２係合孔とが互いに同一の断面形状を有していることが望ましい。
上記第１係合部と上記第３係合部とが互いに同一の断面形状を有しており、上記第１係合孔と上記第２係合孔とが互いに異なる断面形状を有していることが望ましい。
上記第１係合部と上記第３係合部とが互いに異なる断面形状を有しており、上記第１係合孔と上記第２係合孔とが互いに同一の断面形状を有していることが望ましい。
【発明の効果】
【０００７】
上記特徴構成を有するこの発明によれば、ダンパ本体に形成された第１係合部とアダプタに形成された第３係合部とのいずれもが、第１係合孔及び第２係合孔に回動不能に挿入可能であるから、躯体と回転体との間に回転ダンパを第１、第２ブラケットを介して取り付ける場合には、第１、第２ブラケットを躯体及び回転体のいずれに取り付けたとしても、回転ダンパを躯体と回転体とに第１、第２ブラケットを介して取り付けることができる。しかも、回転ダンパを、そのダンパ本体及びロータと躯体及び回転体との取り付け関係が正規の状態になるように取り付けることができる。
【図面の簡単な説明】
【０００８】
【図１】図１は、この発明に係る回転ダンパ装置の第１実施の形態を示す図であって、回転ダンパ装置は、筐体と扉との間に用いられている。
【図２】図２は、同第１実施の形態の平面図である。
【図３】図３は、同第１実施の形態の正面図である。
【図４】図４は、同第１実施の形態の側面図である。
【図５】図５は、図２のＸ−Ｘ線に沿う拡大断面図である。
【図６】図６は、図３のＸ−Ｘ線に沿う一部省略拡大断面図である。
【図７】図７は、図２のＹ−Ｙ線に沿う拡大断面図である。
【図８】図８は、図２のＺ−Ｚ線に沿う拡大断面図である。
【図９】図９は、同第１実施の形態において用いられている回転ダンパを示す平面図である。
【図１０】図１０は、同回転ダンパの正面図である。
【図１１】図１１は、図９のＸ矢視図である。
【図１２】図１２は、図９のＹ矢視図である。
【図１３】図１３は、同第１実施の形態において用いられているアダプタを示す平面図である。
【図１４】図１４は、同アダプタの正面図である。
【図１５】図１５は、同アダプタの斜視図である。
【図１６】図１６は、図１３のＸ−Ｘ線に沿う断面図である。
【図１７】図１７は、図１４のＸ−Ｘ線に沿う断面図である。
【図１８】図１８は、図１３のＹ矢視図である。
【図１９】図１９は、図１６のＸ−Ｘ線に沿う断面図である。
【図２０】図２０は、図１６のＹ−Ｙ線に沿う断面図である。
【図２１】図２１は、同第１実施の形態において用いられている第１ブラケットを示す平面図である。
【図２２】図２２は、同第１ブラケットの正面図である。
【図２３】図２３は、同第１ブラケットの斜視図である。
【図２４】図２４は、この発明の第２実施の形態を示す図５と同様の断面図である。
【図２５】図２５は、同第２実施の形態を示す図６と同様の断面図である。
【図２６】図２６は、同第２実施の形態において用いられているアダプタを示す平面図である。
【図２７】図２７は、図２６のＸ−Ｘ線に沿う断面図である。
【図２８】図２８は、同アダプタの斜視図である。
【図２９】図２９は、この発明の第３実施の形態を示す図５と同様の断面図である。
【図３０】図３０は、同第３実施の形態を示す図６と同様の断面図である。
【図３１】図３１は、同第３実施の形態を示す図７と同様の断面図である。
【図３２】図３２は、同第３実施の形態を示す図８と同様の断面図である。
【図３３】図３３は、同第３実施の形態において用いられているアダプタを示す平面図である。
【図３４】図３４は、同アダプタの正面図である。
【図３５】図３５は、図３３のＸ矢視図である。
【図３６】図３６は、同アダプタの斜視図である。
【図３７】図３７は、同第３実施の形態において用いられている第１ブラケットを示す平面図である。
【図３８】図３８は、同第１ブラケットの正面図である。
【図３９】図３９は、同第１部ラケットの斜視図である。
【図４０】図４０は、この発明の第４実施の形態を示す図５と同様の断面図である。
【図４１】図４１は、同第４実施の形態を示す図６と同様の断面図である。
【図４２】図４２は、同第４実施の形態を示す図７と同様の断面図である。
【図４３】図４３は、同第４実施の形態を示す図８と同様の断面図である。
【図４４】図４４は、同第４実施の形態において用いられている回転ダンパの平面図である。
【図４５】図４５は、同回転ダンパの正面図である。
【図４６】図４６は、図４４のＸ矢視図である。
【図４７】図４７は、同第４実施の形態において用いられているアダプタを示す平面図である。
【図４８】図４８は、同アダプタの正面図である。
【図４９】図４９は、図４８のＸ矢視図である。
【図５０】図５０は、同アダプタの斜視図である。
【図５１】図５１は、この発明の第５実施の形態を示す図１同様の図である。
【発明を実施するための形態】
【０００９】
以下、この発明を実施するための最良の形態を、図面を参照して説明する。
図１〜図２３は、この発明の第１実施の形態を示す。この実施の形態は、この発明に係る回転ダンパ装置を躯体（図示せず）とその開口部を開閉する扉Ｄとの間に設けたものであり、二つの回転ダンパ装置Ａ，Ａ′が用いられている。二つの回転ダンパ装置Ａ，Ａ′は、鏡対称に構成されている。そこで、ここでは回転ダンパ装置Ａについてのみ説明することとし、回転ダンパ装置Ａ′については回転ダンパ装置Ａと同様な部分に同一符号を付してその説明を省略する。
【００１０】
図１〜図６に示すように、回転ダンパ装置Ａは、第１ブラケット１、第２ブラケット２、回転ダンパ３及びアダプタ４を有している。第１ブラケット１は躯体に取り付けられている。第２ブラケット２は、扉Ｄの上端部に取り付けられている。第１ブラケット１と第２ブラケット２とは、軸線を水平方向に向けた回転ダンパ３及びアダプタ４を介して回転可能に連結されている。これにより、扉Ｄが躯体に水平な回転軸線Ｌ（回転ダンパの軸線）を中心として回転可能に連結されている。扉Ｄは、図１に示す閉位置と、扉Ｄの下端部が所定位置まで上方へ移動（回転）した開位置との間を回転可能である。扉Ｄが開位置から閉位置に向かって下方へ回転するときには、扉Ｄの回転速度が回転ダンパ３によって低速に抑えられる。扉Ｄが閉位置から開位置に向かって上方へ回転するときには、回転ダンパ３は扉Ｄが高速回転することを許容する。
【００１１】
次に、回転ダンパ装置Ａの詳細について説明するに、説明の便宜上、まず回転ダンパ３について説明すると、図９〜図１２に示すように、回転ダンパ３は、ダンパ本体３１及びロータ３２を有している。ダンパ本体３１は、断面円形の筒状をなしており、その基端部が底部３１ａによって閉じられ、その先端部に開口部を有している。ダンパ本体３１の基端部外周面には、平面部３１ｂが二つ形成されている。二つの平面部３１ｂ，３１ｂは、ダンパ本体３１の基端からその軸線に沿ってダンパ本体３１の長手方向の中間部まで延びており、ダンパ本体３１の周方向へ１８０°離れて配置されている。このような二つの平面部３１ｂ，３１ｂが形成されることにより、ダンパ本体３１の基端部に、断面略長円状をなす第１係合部３１ｃが形成されている。一方、ダンパ本体３１の先端側の略半分は、断面円形で一定の外径を有する円筒部３１ｄとされている。
【００１２】
ロータ３２は、断面円形の軸状をなしており、その基端部がダンパ本体３１内にその軸線（回転軸線Ｌ）を中心として回転可能に挿入されている。ロータ３２は、ダンパ本体３１の内部に設けられたダンパ機構（図示せず）により、一方向へ回転するときにはその回転速度が低速に抑えられ、他方向へ回転するときには高速回転が許容される。そのようなダンパ機構としては、公知の各種のものを採用することができる。また、ダンパ機構としては、ロータ３２がいずれの方向へ回転するときであってもロータ３２の回転速度を低速に抑えることができる公知の他のダンパ機構を採用することも可能である。
【００１３】
ロータ３２の先端部は、ダンパ本体３１からその開口部を通って外部に突出している。ダンパ本体３１から突出したロータ３２の先端部外周面には、二つの平面部が３２ａ，３２ａが形成されている。平面部３２ａは、ロータ３２の先端面からロータ３２の軸線（回転軸線Ｌ）に沿ってダンパ本体３１の先端縁とほぼ同一位置まで延びている。二つの平面部３２ａ，３２ａは、ロータ３２の周方向へ１８０°離れて配置されている。このような二つの平面部３２ａ，３２ａが形成されることにより、ロータ３２のダンパ本体３１から突出した先端部に、断面長円状をなす第２係合部３２ｂが形成されている。ここで、第２係合部３２ｂの外径、つまりロータ３２のダンパ本体３１から突出した先端部の外径は、第１係合部３１ｃの外径であるダンパ本体３１の外径より小径である。また、平面部３２ａ，３２ａの間隔は、第１係合部３１ｃの平面部３１ｂ、３１ｂの間隔より狭くなっている。この結果、第２係合部３２ｂの外形寸法が第１係合部３１ｃの外形寸法より小さくなっている。したがって、第１、第２係合部３１ｃ，３２ｂの軸線を一致させるとともに、平面部３１ｂ，３２ａの周方向における位相を一致させた状態で第１、第２係合部３１ｃ，３２ｂをその軸線方向に重ねると、第２係合部３２ｂ全体が第１係合部３１ｃの外形線によって囲まれる範囲内に入り込む。
【００１４】
次に、アダプタ４について説明すると、図１３〜図２０に示すように、アダプタ４は、有底筒状をなしており、その先端部に嵌合筒部４１が形成され、その基端部に係合筒部４２が形成されている。
【００１５】
嵌合筒部４１は、一定の内外径を有する円筒として形成されており、その内部が大径孔部４３とされている。大径孔部４３は、嵌合筒部４１の外周面と同軸に配置されている。大径孔部４３の内径は、ダンパ本体３１の円筒部３１ｄの外径とほぼ同一に設定されている。図１６及び図１７に示すように、大径孔部４３には、円筒部３１ｄがほとんど隙間無く、しかも挿脱可能に嵌合されている。大径孔部４３の長さは、円筒部３１ｄの長さとほぼ同一に設定されており、大径孔部４３の基端部には後述する段差面４４が形成されている。そして、円筒部３１ｄの先端面が段差面４４に突き当たるまで円筒部３１ｄが大径孔部４３に挿入されると、円筒部３１ｄのほぼ全体が大径孔部４３に収容される。しかも、円筒部３１ｄの先端面が段差面４４に突き当たることにより、回転ダンパ３とアダプタ４との回転軸線Ｌ方向の位置決めがなされている。
【００１６】
係合筒部４２の内部には、大径孔部４２からアダプタ４の基端側に続く小径孔部４５が形成されている。小径孔部４５は、大径孔部４３より小径であり、大径孔部４３と同軸に配置されている。この結果、大径孔部４３と小径孔部４５との間には、それらの軸線と直交する段差面４４が形成されている。小径孔部４５の内径は、ロータ３２のダンパ本体３１から突出した先端部の外径、つまり第２係合部３２ｂの外径とほぼ同一に設定されている。小径孔部４５の内面には、平面部４５ａが二つ形成されている。平面部４５ａは、小径孔部４５の軸線に沿ってその全長にわたって延びている。二つの平面部４５ａ，４５ａは、小径孔部４５の周方向へ１８０°離れて配置されている。しかも、平面部４５ａ，４５ａの間隔は、第２係合部３２ｂの二つの平面部３２ａ，３２ａの間隔とほぼ同一に設定されている。この結果、小径孔部４５の断面形状が、第２係合部３２ｂとほぼ同一の断面形状になっている。そして、小径孔部４５には、第２係合部３２ｂが挿脱可能に、かつ回転不能に嵌合されている。なお、図１６及び図１７に示すように、小径孔部４５の基端部は、底面４５ｃによって閉じられており、第２係合部３２ｂの先端面は、底面４５ｃから若干離間させられている。
【００１７】
係合筒部４２の外周面には、第３係合部４６が形成されている。第３係合部４６は、断面略長方形状をなしており、その中心線（軸線）を嵌合筒部４１の軸線と一致させて配置されている。第３係合部４６は、その軸線に沿って延びる一対の第１平面部４６ａ，４６ａ及び一対の第２平面部４６ｂ，４６ｂを有している。第１平面部４６ａ，４６ａは、第３係合部４６の軸線を間にして互いに対向し、かつ当該軸線から互いに等距離だけ離間して配置されている。第２平面部４６ｂ，４６ｂは、第３係合部４６の軸線を間にして互いに対向し、かつ当該軸線から等距離だけ離れて配置されている。しかも、第２平面部４６ｂ，４６ｂは、第１平面部４６ａ，４６ａとのなす角度が直角になるように配置されている。また、第２平面部４６ｂ，４６ｂ間の距離は、第１平面部４６ａ，４６ａ間の距離より所定の長さだけ長くなっている。互いに隣接する第１平面部４６ａと第２平面部４６ｂとは、それらに接する円弧面によって互いに連結されている。これにより、第３係合部４６の断面形状が略長方形状とされている。第１平面部４６ａと第２平面部４６ｂとは、それらの間に円弧面を介在させることなく、直接交差させてもよい。
【００１８】
第１平面部４６ａ，４６ａの間隔及び第２平面部４６ｂ，４６ｂの間隔をさらに詳しく述べると、第１平面部４６ａ，４６ａの間隔は、ダンパ本体３１の第１係合部３１ｃの二つの平面部３１ｂ，３１ｂの間隔と同一に設定されている。一方、第２平面部４６ｂ，４６ｂの間隔は、ダンパ本体３１の外径、つまり第１係合部３１ｃの外径と同一に設定されている。したがって、第１係合部３１ｃと第３係合部４６とを互いの軸線を一致させ、かつ第１係合部３１ｃの第１平面部３１ｂと第３係合部４６の第１平面部４６ａとの周方向における位相を一致させた状態で、第１係合部３１ｃと第３係合部４６とをそれらの軸線方向に重ねると、第１係合部３１ｃの平面部３１ｂ，３１ｂと第３係合部４６の第１平面部４６ａ，４６ａとがそれぞれ一致し、第１係合部３１ｃの外周面が第３係合部４６の第２平面部４６ｂに対しその幅方向（第１平面部４６ａ，４６ａの対向方向）の中央において接し、その状態で第１係合部３１ｃが第３係合部４６の外形線によって囲まれる範囲内に包含される。
【００１９】
次に、第１、第２ブラケット１，２について述べるに、第２ブラケット２は、第１ブラケット１に対して点対称になるように配置されるとともに、支持対象が第１ブラケット１と異なるだけであり、構成自体は第１ブラケット１と同一である。そこで、第１ブラケット１の構成についてのみ説明することとし、第２ブラケット２については第１ブラケットとの相違点だけを説明する。
【００２０】
図１〜図８及び図２１〜図２３に示すように、第１ブラケット１は、取付板部１１及び連結筒部１２を有している。取付板部１１には、ねじ挿通孔１１ａが形成されている。このねじ挿通孔１１ａに挿通されたねじ（図示せず）を躯体にねじ込んで締め付けることにより、取付板部１１、ひいては第１ブラケット１が躯体に取り付けられている。勿論、第２ブラケット２の取付板部１１は、扉Ｄに取り付けられている。
【００２１】
連結筒部１２は、取付板部１１の先端部（図１及び図２において下端部）に一体に設けられている。連結筒部１２の内部には、その先端面（図５及び図６において右端面）から基端部に向かって延びる断面円形の支持孔（第１支持孔）１２ａが形成されている。この支持孔１２ａは、その軸線を回転軸線Ｌと一致させて配置されている。支持孔１２ａの内径は、アダプタ４の嵌合筒部４１の外径とほぼ同一に設定されている。図５及び図６に示すように、第１ブラケット１の支持孔１２ａには、嵌合筒部４１の先端側の略半分が回転可能に嵌合されている。アダプタ４の嵌合筒部４１の基端側の略半分は、第２ブラケットの支持孔（第２支持孔）１２ａに嵌合されている。これにより、扉Ｄが躯体に回転軸線Ｌを中心として上下方向へ回転可能に支持されている。しかも、扉Ｄの重量が嵌合筒部４１によって支持され、回転ダンパ３には扉Ｄの重量がほとんど作用しないようになっている。なお、図５及び図６に示すように、嵌合筒部４１の基端部が支持孔１２ａの底面に突き当たることにより、アダプタ４及び回転ヒンジ３の第２ブラケット２に対する回転軸線Ｌ方向の位置決めがなされている。
【００２２】
連結筒部１２の内部には、支持孔１２ａの底面からさらに基端側へ延びる係合孔（第１係合孔）１２ｂが形成されている。この係合孔１２ｂは、その軸線を支持孔１２ａと一致させて配置されている。しかも、係合孔１２ｂは、図７に示すように、断面略四角形状に形成されており、アダプタ４の第３係合部４６とほぼ同一の断面形状を有している。すなわち、係合孔１２ｂの内周面には、その全長にわたって延びる一対の第１平面部１２ｃ，１２ｃ及び一対の第２平面部１２ｄ，１２ｄが形成されている。第１平面部１２ｃ，１２ｃは、係合孔１２ａの軸線を間にして互いに対向し、当該軸線から互いに等距離だけ離間して配置されている。しかも、第１平面部１２ｃ，１２ｃの間隔は、第３係合部４６の第１平面部４６ａ，４６ａの間隔とほぼ同一に設定されている。第２平面部１２ｄ，１２ｄは、第１平面部１２ｃとのなす角度が直角になるように配置されている。しかも、第２平面部１２ｄ，１２ｄは、係合孔１２ａの軸線を間にして互いに対向し、当該軸線から等距離だけ離れて配置されている。第２平面部１２ｄ，１２ｄの間隔は、第３係合部４６の第２平面部４６ｂ，４６ｂの間隔とほぼ同一に設定されている。互いに隣接する第１平面部１２ｃと第２平面部１２ｄとは、第３係合部４６において用いられている円弧面と同一の円弧面によって連結されている。この結果、係合孔１２ｂの断面形状が、アダプタ４の第３係合部４６の断面形状と同一になっているのである。
【００２３】
係合孔１２ｂが第３係合部４６と同一の断面形状を有している。しかも、上記のように、第３係合部４６の外形線によって囲まれる範囲内にダンパ本体３１の第１係合部３１ｃが包含される。したがって、係合孔１２ｂには第１係合部３１ｃが挿脱可能であり、図７に示すように、第１係合部３１ｃが係合孔１２ｂに挿入された状態では、第１係合部３１ｃの平面部３１ｂ，３１ｂが第１平面部１２ｃ，１２ｃに面接触し、第１係合部３１ｃの外周面が第２平面部１２ｄにその幅方向（第１平面部１２ｃ，１２ｃの対向方向）の中央部において接する。これにより、ダンパ本体３１の第１係合部３１ｃが係合孔１２ｂに回転不能に、かつガタなく挿入されている。この結果、ダンパ本体３１が躯体に第１ブラケット１を介して回転不能に連結されている。
【００２４】
なお、図５に示すように、第１係合部３１ｃの基端面（ダンパ本体３１の基端面）は、係合孔１２ｂの底面に突き当たっており、それによって回転ダンパ３が第１ブラケット１に対して位置決めされている。また、図５及び図６に示すように、第１、第２ブラケット１，２の互いに対向する先端面間には、所定の大きさの隙間が形成されている。
【００２５】
上記のように、係合孔１２ｂの断面形状がアダプタ４の第３係合部４６の断面形状と同一であるから、当然のことながら係合孔１２には第３係合部４６が挿脱可能であり、図８に示すように、第２ブラケット２の係合孔（第２係合孔）１２ｂには、アダプタ４の第３係合部４６が回転不能に挿入されている。これにより、回転ダンパ３のロータ３２が第２ブラケット２に回転不能に連結され、ひいては扉Ｄに回転不能に連結されている。したがって、扉Ｄが回転すると、ロータ３２がダンパ本体３に対して回転する。
【００２６】
上記構成の回転ダンパ装置Ａにおいては、第１係合部３１ｃ及び第３係合部４６のいずれもが第１、第２ブラケット１，２の係合孔１２ｂ，１２ｂに回転不能に挿入可能であるから、第１、第２ブラケット１，２のいずれか一方を躯体に取り付け、他方を扉Ｄに取り付けたとしても、回転ダンパ３のダンパ本体３１及びロータ３２を第１及び第２ブラケット１，２に取り付けることができる。しかも、回転ダンパ３のダンパ本体３１及びロータ３２と躯体及び扉Ｄとの取付関係を正規の関係にして取り付けることができる。
【００２７】
特にこの実施の形態においては、第２ブラケット２に第１ブラケット１の係合孔１２ｂと同一の断面形状を有する係合孔１２ｂが形成されているから、第１及び第２ブラケット１，２として全く同一のブラケットを用いることができる。したがって、ブラケット１，２の製造費及び管理費を低減することができる。
【００２８】
また、ダンパ本体３１の第１係合部３１ｃ及びアダプタ４の第３係合部４６は、第１及び第２ブラケット１，２を用いることなく、躯体と扉とのいずれか一方と他方とにそれぞれ直接回転不能に取り付けることも可能である。この場合にも、躯体及び扉Ｄには同一寸法の係合孔を形成すればよく、一方の係合孔には第１係合部３１ｃを回転不能に挿入され、他方の係合孔には第３係合部４６を回転不能に挿入される。したがって、回転ダンパ装置の取付費用を低減することができる。
【００２９】
次に、この発明の他の実施の形態について説明する。なお、以下の実施の形態については、上記実施の形態と異なる構成だけを説明することとし、上記実施の形態と同様な構成部分には同一符号を付してその説明を省略する。
【００３０】
図２４〜図２８は、この発明の第２実施の形態を示す。この実施の形態においては、嵌合筒部４１の外周面に環状突出部４１ａが形成されている。環状突出部４１ａは、嵌合筒部４１の軸線方向における中間部に配置されている。環状突出部４１ａの外径は、連結筒部１２の外径とほぼ同一か若干小径に設定されている。環状突出部４１ａの幅（回転軸線Ｌ方向の寸法）は、上記実施の形態における第１、第２ブラケット１，２の連結筒部１２，１２間の間隔と同一ないしは狭く設定されているが、それらの間隔より若干広くしてもよい。環状突出部４１ａの幅を連結筒部１２，１２間の間隔と同一ないしは若干狭くする場合には、環状突出部４１ａは、連結筒部１２，１２の隙間をほぼ埋めることによって美感の向上を図るためのものとして用いられる。一方、環状突出部４１ａの幅を連結筒部１２，１２間の間隔より広くする場合には、連結筒部１２，１２の各先端面を環状突出部４１ａの両端面にそれぞれ押し付けることにより、第１、第２ブラケット１，２と回転ダンパ３及びアダプタ４との回転軸線Ｌ方向の位置決めをすることができる。
【００３１】
図２９〜図３９は、この発明の第３実施の形態を示す。この実施の形態においては、第１、第２ブラケット１，２に、係合孔１２ｂに代えて係合孔１２ｅが形成されている。図３１に示すように、この係合孔１２ｅは、第１係合部３１ｃと同一の断面形状を有しており、第１係合部３１ｃが第１ブラケット１の係合孔１２ｅに挿脱可能に、かつ回転不能に挿入されている。また、アダプタ４には、第３係合部４６に代えて第３係合部４６Ａが形成されている。この第３係合部４６Ａは、第１係合部３１ｃと同一の断面形状に形成されている。したがって、第３係合部４６Ａの断面形状は、図３２に示すように、係合孔１２ｅの断面形状と同一であり、第２ブラケット２の係合孔１２ｅには、第３係合部４６Ａが挿脱可能に、かつ回転不能に挿入されている。
【００３２】
図４０〜図５０は、この発明の第４実施の形態を示す。この実施の形態は、上記第３実施の形態を変形したものであり、第１係合部３１ｃの外周面のうち円弧状をなす部分の周方向における中央部に、第１係合部３１ｃの全長にわたって延びる平面部３１ｅが形成されている。また、アダプタ４の第３係合部４６のうちの円弧状をなす部分の周方向における中央部に、第３係合部４６の全長にわたって延びる平面部４６ｃが形成されている。したがって、第１係合部３１ｃ及び第３係合部４６は、断面形状が係合孔１２ｅと異なるが、第１係合部３１ｃ、第３係合部４６及び係合孔１２ｅとを軸線方向に重ねたとき、第１係合部３１ｃ及び第３係合部４６は、係合孔１２ｅの内形線によって区画される範囲内に包含され、係合孔１２ｅに回転不能に挿入可能である。なお、第１係合部３１ｃにのみ平面部３１ｅを形成してもよく、第３係合部４６にのみ平面部４６ｃを形成してもよい。つまり、第１係合部３１ｃ及び第３係合部４６が係合孔１２ｅに回転不能に挿入可能である限り、第１係合部３１ｃと第３係合部４６とは互いに異なる形状であってもよい。
【００３３】
図５１は、この発明の第５実施の形態を示す。この実施の形態においては、第２ブラケット２に代えて第２ブラケット２Ａが用いられている。この第２ブラケット２Ａは、第１ブラケット１に対して鏡対称に構成されている。
【００３４】
なお、この発明は上記の実施の形態に限定されるものでなく、その要旨を逸脱しない範囲において適宜変更可能である。
例えば、上記の実施の形態においては、アダプタ４に嵌合筒部４１を設けているが、嵌合筒部４１は省略してもよい。その場合には、扉Ｄの荷重を回転ダンパ３がブラケット１，２を介して支持することになる。
また、上記の実施の形態においては、第１、第２ブラケット１，２に同一の係合孔（第１、第２係合孔）１２ｂ（１２ｅ）を形成している。つまり、第１、第２ブラケット１，２の第１、第２係合孔を互いに同一の断面形状にしている。しかし、第１ブラケットの第１係合孔と第２ブラケット２の第２係合孔とは、必ずしもそのようにする必要がなく、ヒンジ本体３１の第１係合部３１ｃ及びアダプタ４の第３係合部４６の両者が回転不能に挿入可能である限り、互いに異なる断面形状にしてもよい。
【産業上の利用可能性】
【００３５】
この発明に係るダンパ装置は、躯体とこの躯体の開口部を開閉する扉との間に用いることができる。
【符号の説明】
【００３６】
Ａ    回転ダンパ装置
Ａ′    回転ダンパ装置
１    第１ブラケット
２    第２ブラケット
２Ａ    第２ブラケット
３    回転ダンパ
４    アダプタ
１２ａ    支持孔（第１支持孔；第２支持孔）
１２ｂ    係合孔
１２ｅ    係合孔
３１    ダンパ本体
３１ｃ    第１係合部
３２    ロータ
３２ｂ    第２係合部
４１    嵌合筒部
４１ａ    環状突出部
４６    第３係合部
４６Ａ    第３係合部
【図１】
2011236702.tif 000003
【図２】
2011236702.tif 000004
【図３】
2011236702.tif 000005
【図４】
2011236702.tif 000006
【図５】
2011236702.tif 000007
【図６】
2011236702.tif 000008
【図７】
2011236702.tif 000009
【図８】
2011236702.tif 000010
【図９】
2011236702.tif 000011
【図１０】
2011236702.tif 000012
【図１１】
2011236702.tif 000013
【図１２】
2011236702.tif 000014
【図１３】
2011236702.tif 000015
【図１４】
2011236702.tif 000016
【図１５】
2011236702.tif 000017
【図１６】
2011236702.tif 000018
【図１７】
2011236702.tif 000019
【図１８】
2011236702.tif 000020
【図１９】
2011236702.tif 000021
【図２０】
2011236702.tif 000022
【図２１】
2011236702.tif 000023
【図２２】
2011236702.tif 000024
【図２３】
2011236702.tif 000025
【図２４】
2011236702.tif 000026
【図２５】
2011236702.tif 000027
【図２６】
2011236702.tif 000028
【図２７】
2011236702.tif 000029
【図２８】
2011236702.tif 000030
【図２９】
2011236702.tif 000031
【図３０】
2011236702.tif 000032
【図３１】
2011236702.tif 000033
【図３２】
2011236702.tif 000034
【図３３】
2011236702.tif 000035
【図３４】
2011236702.tif 000036
【図３５】
2011236702.tif 000037
【図３６】
2011236702.tif 000038
【図３７】
2011236702.tif 000039
【図３８】
2011236702.tif 000040
【図３９】
2011236702.tif 000041
【図４０】
2011236702.tif 000042
【図４１】
2011236702.tif 000043
【図４２】
2011236702.tif 000044
【図４３】
2011236702.tif 000045
【図４４】
2011236702.tif 000046
【図４５】
2011236702.tif 000047
【図４６】
2011236702.tif 000048
【図４７】
2011236702.tif 000049
【図４８】
2011236702.tif 000050
【図４９】
2011236702.tif 000051
【図５０】
2011236702.tif 000052
【図５１】
2011236702.tif 000053